【手続補正書】
【提出日】平成16年5月25日(2004.5.25)
【手続補正１】
【補正対象書類名】明細書
【補正対象項目名】発明の名称
【補正方法】変更
【補正の内容】
【発明の名称】移動局装置及び通信方法
【手続補正２】
【補正対象書類名】明細書
【補正対象項目名】特許請求の範囲
【補正方法】変更
【補正の内容】
【特許請求の範囲】
【請求項１】
通話又は非通話についての発呼に応じて網側から通信チャネルを割当てられる移動局装置において、
該通信チャネル内に、通話データ及び非通話データを時間的に多重して搭載する制御手段と、
該多重して搭載されたデータを送信する送信手段と、
を備えたことを特徴とする移動局装置。
【請求項２】
前記制御手段は、通話データ及び非通話データを時間的に多重して搭載する場合に、受信側移動局装置において該通話データと該非通話データを振り分け可能とする識別子も多重する、
ことを特徴とする請求項１記載の移動局装置。
【請求項３】
前記制御手段は、通話データ及び非通話データを時間的に多重して搭載する場合に、少なくとも該移動局装置が対応可能な音声符号化方式のレートを保証する、ことを特徴とする請求項１記載の移動局装置。
【請求項４】
通話データと非通話データのいずれか一方だけを送信していた通信チャネル内に、通話データ及び非通話データを時間多重して搭載する制御手段と、
該時間多重して搭載されたデータを送信する送信手段と、
を備えたことを特徴とする移動局装置。
【請求項５】
前記制御手段は、通話データ及び非通話データを時間的に多重して搭載する場合に、受信側移動局装置において、該通話データと該非通話データを振り分け可能とする識別子も多重する、
ことを特徴とする請求項４記載の移動局装置。
【請求項６】
前記制御手段は、通話データ及び非通話データを時間的に多重して搭載する場合に、少なくとも該移動局装置が対応可能な音声符号化方式のレートを保証する、ことを特徴とする請求項４記載の移動局装置。
【請求項７】
通話又は非通話についての着呼に応じて網側から通信チャネルを割当てられる移動局装置において、
該通信チャネル内に、時間的に多重された通話データ及び非通話データを受信する受信手段と、
該受信した通話データ及び非通話データを振り分ける振り分け手段と、
を備えたことを特徴とする移動局装置。
【請求項８】
通話又は非通話についての着呼に応じて網側から通信チャネルを割当てられる移動局装置において、
該通信チャネル内に、時間的に多重された通話データ、非通話データ、及び通話データと非通話データの振り分け用の識別子を受信する受信手段と、
該受信した通話データ及び非通話データを該識別子に基づいて振り分ける振り分け手段と、
を備えたことを特徴とする移動局装置。
【請求項９】
通話データと非通話データのいずれか一方だけを受信していた通信チャネル内に、時間多重して送信された通話データ及び非通話データを受信する受信手段と、該受信した通話データ及び非通話データを振り分ける振り分け手段と、
を備えたことを特徴とする移動局装置。
【請求項１０】
通話データと非通話データのいずれか一方だけを受信していた通信チャネル内に、時間多重して送信された通話データ、非通話データ、及び通話データと非通話データの振り分け用の識別子を受信する受信手段と、
該受信した通話データ及び非通話データを該識別子に基づいて振り分ける振り分け手段と、
を備えたことを特徴とする移動局装置。
【請求項１１】
通話又は非通話についての発呼に応じて網側から移動局装置に対して通信チャネルを割当てるステップと、
該移動局装置から該通信チャネル内に時間的に多重された通話データ及び非通話データを送信するステップと、
を含むことを特徴とする通信方法。
【請求項１２】
通話データと非通話データのいずれか一方だけを送信していた通信チャネル内に、通話データ及び非通話データを時間多重して搭載するステップと、
該時間多重して搭載されたデータを送信するステップと、
を含むことを特徴とする通信方法。
【請求項１３】
通話又は非通話についての着呼に応じて網側から移動局装置に対して通信チャネルを割当てるステップと、
該通信チャネル内に時間的に多重された通話データ及び非通話データを受信するステップと、
を含むことを特徴とする通信方法。
【請求項１４】
通話データと非通話データのいずれか一方だけを受信していた通信チャネル内に、時間多重された通話データ及び非通話データを受信するステップと、
受信した該通話データと非通話データを振り分けるステップと、
を含むことを特徴とする通信方法。
【手続補正３】
【補正対象書類名】明細書
【補正対象項目名】０００１
【補正方法】変更
【補正の内容】
【０００１】
【発明の属する技術分野】
本発明は移動局装置及び通信方法 に関し、更に詳しくは、通話又は非通話についての発呼／着呼に応じて網側から通信チャネルを割当てられる移動局装置及び通信方法に関す
る。
近年、この種の移動無線通信は利用形態の多様化が進んでおり、従来の通話のみでなく、パーソナルコンピュータ（ＰＣ），ファックス（ＦＡＸ），ＴＶ画像等のデータ通信にも利用されることがある。そこで、この様なマルチメディアの通信を簡易に能率良く行える移動通信方式及び該方式による移動局装置の提供が望まれる。
【手続補正４】
【補正対象書類名】明細書
【補正対象項目名】０００６
【補正方法】変更
【補正の内容】
【０００６】
【課題を解決するための手段】
上記課題を達成する本発明（１）の移動局装置は、通話又は非通話についての発呼に応じて網側から通信チャネルを割当てられる移動局装置において、該通信チャネル内に、通話データ及び非通話データを時間的に多重して搭載する制御手段と、該多重して搭載されたデータを送信する送信手段と、を備えたものである。
本発明（２）では、上記本発明（１）において、前記制御手段は、通話データ及び非通話データを時間的に多重して搭載する場合に、受信側移動局装置において該通話データと該非通話データを振り分け可能とする識別子も多重する、ものである。
本発明（３）では、上記本発明（１）において、前記制御手段は、通話データ及び非通話データを時間的に多重して搭載する場合に、少なくとも該移動局装置が対応可能な音声符号化方式のレートを保証する、ものである。
本発明（４）の移動局装置は、通話データと非通話データのいずれか一方だけを送信していた通信チャネル内に、通話データ及び非通話データを時間多重して搭載する制御手段と、該時間多重して搭載されたデータを送信する送信手段と、を備えたものである。
本発明（５）では、上記本発明（４）において、前記制御手段は、通話データ及び非通話データを時間的に多重して搭載する場合に、受信側移動局装置において、該通話データと該非通話データを振り分け可能とする識別子も多重する、ものである。
本発明（６）では、上記本発明（４）において、前記制御手段は、通話データ及び非通話データを時間的に多重して搭載する場合に、少なくとも該移動局装置が対応可能な音声符号化方式のレートを保証する、ものである。
本発明（７）の移動局装置は、通話又は非通話についての着呼に応じて網側から通信チャネルを割当てられる移動局装置において、該通信チャネル内に、時間的に多重された通話データ及び非通話データを受信する受信手段と、該受信した通話データ及び非通話データを振り分ける振り分け手段と、を備えたものである。
本発明（８）の移動局装置は、通話又は非通話についての着呼に応じて網側から通信チャネルを割当てられる移動局装置において、該通信チャネル内に、時間的に多重された通話データ、非通話データ、及び通話データと非通話データの振り分け用の識別子を受信する受信手段と、該受信した通話データ及び非通話データを該識別子に基づいて振り分ける振り分け手段と、を備えたものである。
本発明（９）の移動局装置は、通話データと非通話データのいずれか一方だけを受信していた通信チャネル内に、時間多重して送信された通話データ及び非通話データを受信する受信手段と、該受信した通話データ及び非通話データを振り分ける振り分け手段と、
を備えたものである。
本発明（１０）の移動局装置は、通話データと非通話データのいずれか一方だけを受信していた通信チャネル内に、時間多重して送信された通話データ、非通話データ、及び通話データと非通話データの振り分け用の識別子を受信する受信手段と、該受信した通話データ及び非通話データを該識別子に基づいて振り分ける振り分け手段と、を備えたものである。
本発明（１１）の通信方法は、通話又は非通話についての発呼に応じて網側から移動局
装置に対して通信チャネルを割当てるステップと、該移動局装置から該通信チャネル内に時間的に多重された通話データ及び非通話データを送信するステップと、を含むものである。
本発明（１２）の通信方法は、通話データと非通話データのいずれか一方だけを送信していた通信チャネル内に、通話データ及び非通話データを時間多重して搭載するステップと、該時間多重して搭載されたデータを送信するステップと、を含むものである。
本発明（１３）の通信方法は、通話又は非通話についての着呼に応じて網側から移動局装置に対して通信チャネルを割当てるステップと、該通信チャネル内に時間的に多重された通話データ及び非通話データを受信するステップと、を含むものである。
本発明（１４）の通信方法は、通話データと非通話データのいずれか一方だけを受信していた通信チャネル内に、時間多重された通話データ及び非通話データを受信するステップと、受信した該通話データと非通話データを振り分けるステップと、を含むものである。
【手続補正５】
【補正対象書類名】明細書
【補正対象項目名】０００７
【補正方法】変更
【補正の内容】
【０００７】
【発明の実施の形態】
本発明の一実施態様による移動通信方式は、例えば図１に示す如く、複数の移動局装置がＴＤＭＡ方式による網の下で相互に接続する移動通信システムの移動通信方式において、自局の送信スロットのデータ搭載エリアに通話及びデータに係る複数の端末機能部からのデータを搭載可能な第１の移動局装置と、自局の受信スロットの受信データを対応する通話及びデータに係る複数の端末機能部に振分可能な第２の移動局装置とを備え、前記網の下で呼を接続して後、該網により通話モードに置かれた前記第１，第２の移動局装置が、自局の１つの通話チャネルＴ２につき前記複数の端末機能部に係るデータをスロット毎に混在させて通信するものである。
上記構成によれば、網により通話モードに置かれた第１，第２の移動局装置が、自局の１つの通話チャネルにつき複数の端末機能部に係るデータをスロット毎に混在させて通信するので、通話中にデータ通信をしたり、又はデータ通信中に通話をしたり、又はＰＣによるデータ通信中にＦＡＸによるファクシミリ通信をする等のマルチメディア通信の要求を、網制御の介入無しに、簡単な構成及び制御で処理できる。また網の通信トラヒックが混雑していても、所望の組み合わせのマルチメディア通信を確保できる。
【手続補正６】
【補正対象書類名】明細書
【補正対象項目名】０００８
【補正方法】変更
【補正の内容】
【０００８】
好ましくは、第１，第２の移動局装置は、夫々ハーフレート符号方式の音声コーデックを備え、かつフルレートの伝送速度で呼を接続すると共に、ハーフレートの音声符号データとデータ端末機能部に係るデータとをスロット毎に交互に通信する。
ところで、今日、音声符号技術の進歩により、音声通信はＶＳＥＬＰによるフルレート（１１．２ｋｂｐｓ）方式からＰＳＩ−ＣＥＬＰによるハーフレート（５．６ｋｂｐｓ）方式へと移行しつつある。一方、網（基地局）側では旧型のフルレート移動局及び新型のハーフレート移動局（フルレートとハーフレートの両機能を備える）のいずれの移動局でも収容できる様に網整備を進めている。
【手続補正７】
【補正対象書類名】明細書
【補正対象項目名】００１０
【補正方法】変更
【補正の内容】
【００１０】
係る状況の下で、第１，第２の移動局装置は、夫々ハーフレート符号方式の音声コーデックを備え、かつフルレートの伝送速度で呼を接続すると共に、ハーフレートの音声符号データとデータ端末機能部に係るデータとをスロット毎に交互に通信する。
かかる方式では、データ端末機能部のデータ通信速度は単独で通信する場合の約１／２に低下するが、一般に実時間性を要求されないＰＣやＦＡＸ通信等では、通信の始めから、又は通信の途中でデータ通信速度が１／２に低下しても、データ通信の目的を達成できる。一方、実時間性を要求される音声データは符号化方式に応じた伝送レートを維持しないと、音質が著しく劣化する。
【手続補正８】
【補正対象書類名】明細書
【補正対象項目名】００１１
【補正方法】変更
【補正の内容】
【００１１】
しかし、上記によれば、ハーフレートによる２スロット分の音声符号データをフルレート接続下の１スロット分のデータ転送エリアにパッキングして該フルレートの１スロット置きに転送できる。従って、この場合の音声データの実質的な転送速度はハーフレート接続下の５．６ｋｂｐｓ相当となり、通常のハーフレート移動局と同一の音質が得られる。
【手続補正９】
【補正対象書類名】明細書
【補正対象項目名】００１２
【補正方法】変更
【補正の内容】
【００１２】
また好ましくは、１の端末機能部に係るデータの通信中における他の端末機能部に係るデータの通信開始及び終了の手続を、第１，第２の移動局装置が前記通信中の通話チャネルを介して直接に行う。
従って、この様なデータ通信開始及び終了に際し、網側に何らの負担も掛けない。またこの様なデータ通信開始及び終了の手続を、網側の規制を受けずに、任意に決定できる。
【手続補正１０】
【補正対象書類名】明細書
【補正対象項目名】００１３
【補正方法】変更
【補正の内容】
【００１３】
また好ましくは、第１の移動局装置は複数の端末機能部に係る通信データを識別するための識別子を送信データに付与して送信し、かつ第２の移動局装置は受信データに付与された前記識別子に基づき当該受信データを対応する端末機能部に振り分ける。
このように、各端末機能部の送信データに識別子を付与して送信し、かつ各スロットの受信データを前記識別子に従って対応する端末機能部に振り分ける構成により、煩雑な事前の通信プロトコルを介することなく、通信データの流れを実時間で容易に交通整理できる。
【手続補正１１】
【補正対象書類名】明細書
【補正対象項目名】００１４
【補正方法】変更
【補正の内容】
【００１４】
なお、識別子を全データに付与する必要は無い。例えばデータ通信中に通話する様な場合は、音声データ又は通信データの一方にのみ識別子を付与すれば目的を達成できる。
また好ましくは、第１，第２の移動局装置間で通話チャネルを介して呼を接続して後、両移動局装置間で所定の同期をとって複数の端末機能部に係るデータの通信を行う。
【手続補正１２】
【補正対象書類名】明細書
【補正対象項目名】００１５
【補正方法】変更
【補正の内容】
【００１５】
このように、第１，第２の移動局装置間における事前の呼接続プロトコルを介することにより、その後の通信データの流れは移動局相互間で同期させた簡単なタイミング制御により能率的に行える。
また本発明の他の実施態様による移動局装置は、複数の移動局装置がＴＤＭＡ方式による網の下で相互に接続する移動通信システムの移動局装置において、無線信号を扱う無線部と、前記無線部に接続してＴＤＭＡ方式によるタイミング制御等を行うＴＤＭＡ制御部と、通話データを扱う電話端末機能部と、外部又は内部のデータ端末機能部ＰＣ，ＦＡＸ，ＣＰＵ等に接続するインタフェース部と、前記ＴＤＭＡ制御部と、前記電話端末機能部及びインタフェース部との間に介在して、自局の送信スロットのデータ搭載エリアに前記複数の端末機能部からの通信データをスロット毎に混在させて搭載するパス制御部とを備えるものである。
【手続補正１３】
【補正対象書類名】明細書
【補正対象項目名】００１６
【補正方法】変更
【補正の内容】
【００１６】
この様な移動局装置を提供することで、共通（既存）の移動網には何ら手を加えること無く、能率良い、かつ扱い易いマルチメディア通信を実現できる。
また本発明の更に他の実施態様による移動局装置は、複数の移動局装置がＴＤＭＡ方式による網の下で相互に接続する移動通信システムの移動局装置において、無線信号を扱う無線部と、前記無線部に接続してＴＤＭＡ方式によるタイミング制御等を行うＴＤＭＡ制御部と、通話データを扱う電話端末機能部と、外部又は内部のデータ端末機能部ＰＣ，ＦＡＸ，ＣＰＵ等に接続するインタフェース部と、前記ＴＤＭＡ制御部と、前記電話端末機能部及びインタフェース部との間に介在して、自局の受信スロットの受信データをその宛て先に応じて対応する前記端末機能部に振り分けるパス制御部とを備える。
【手続補正１４】
【補正対象書類名】明細書
【補正対象項目名】００１８
【補正方法】変更
【補正の内容】
【００１８】
以下、添付図面に従って本発明に好適なる実施の形態を詳細に説明する。なお、全図を通して同一符号は同一又は相当部分を示すものとする。
図２は実施の形態による移動通信システムを説明する図で、図において、１００は公衆網、ＭＴＳは移動体中継交換局、ＭＳＣは移動体交換局、ＢＳは無線基地局、ＭＳは実施の形態による移動局、ＰＣは移動局ＭＳに接続可能なディスクトップ又はノート型のパーソナルコンピュータ、ＦＡＸは同じくファクシミリ装置である。
【手続補正１５】
【補正対象書類名】明細書
【補正対象項目名】００６３
【補正方法】変更
【補正の内容】
【００６３】
【発明の効果】
以上述べた如く本発明によれば、マルチメディアの通信を簡便かつ能率良く行え、移動通信のマルチメディア化に寄与する所が極めて大きい。